(57)【要約】      （修正有）【課題】有機分子触媒は環境的負荷が少なく期待されているにもかかわらず、選択的アシル化反応に有機分子触媒が利用された例はごくわずかである。そこでホスホニウムイリドよりなるイオン性求核触媒およびこれを用いた精密制御が可能なアルコールのアシル化方法を提供する。【解決手段】テトラアリールホスホニウム塩を前駆体として合成したホスホニウムイリドをイオン性求核触媒として用いるアルコールの選択的アシル化反応であって、１）アシル化剤として用いる酸無水物に対し前記ホスホニウムイリドが求核攻撃し、２）中間体としてホスホニウム塩を生成し、３）前記アルコールが前記ホスホニウム塩中間体を求核攻撃し、４）アシル化されたアルコールを生成するとともにホスホニウムイリドを再生する、工程を含む。【選択図】図１
2019037937.tif 000002
【特許請求の範囲】
【請求項１】
下記式１で表されるホスホニウムイリドもしくはその前駆体を含有するイオン性求核触媒。
【化１】
2019037937.tif 000016
【請求項２】
前記ホスホニウムイリドは下記式２で表されるテトラアリールホスホニウム塩を前駆体とする請求項１記載のイオン性求核触媒。
【化２】
2019037937.tif 000017
【請求項３】
前記ホスホニウムイリドは前記テトラアリールホスホニウム塩をメタノール中、室温で水酸化ナトリウムと反応させる脱ＨＢｒ反応により生成された請求項２記載のイオン性求核触媒。
【請求項４】
アルコールの選択的アシル化反応において、ホスホニウムイリドを触媒として用いるアシル化方法であって、
１）アシル化剤として用いる酸無水物に対し前記ホスホニウムイリドが求核攻撃し、
２）中間体としてホスホニウム塩を生成し、
３）前記アルコールが前記ホスホニウム塩中間体を求核攻撃し、
４）アシル化されたアルコールを生成するとともにホスホニウムイリドを再生する、
工程を含むアシル化方法。
【発明の詳細な説明】
【技術分野】
【０００１】
本開示は、ホスホニウムイリドよりなるイオン性求核触媒およびこれを用いた精密制御が可能なアルコールのアシル化方法に関する。
【背景技術】
【０００２】
持続可能な社会を構築するため、有機合成化学の分野においては、環境への負荷を軽減するクリーンな分子変換技術の開発が強く求められている。特に、触媒反応系の開拓は高効率・高選択的な変換プロセスを実現する上で重要である。このような背景の下、２１世紀初頭から急速に発展した有機分子触媒はその多くが精密にデザインされた触媒であり、炭素−炭素結合生成反応をはじめ様々な化学あるいは立体選択的反応を可能にしてきた。
【０００３】
ホスホニウムイリドは、正電荷を持つリン原子と負電荷を持つ炭素原子が共有結合で隣接した構造を持つ、双生イオンである。求核性を持つアニオン性炭素原子の性質を利用して、ウィティッヒ（Ｗｉｔｔｉｇ）反応など、これまでに様々な分子変換技術が研究されてきた（非特許文献１、特許文献１、２）。
【０００４】
カルボニル基により安定化されたホスホニウムイリドは、アンビデント（ａｍｂｉｔｅｎｔ）な求核剤、すなわち反応性を有する炭素原子と酸素原子が共役系をもつ求核剤として知られており（非特許文献１）、現代の有機合成において非常に重要な役割を果たしているといえる。特に、前記イリドと無水酢酸の反応が、速度論的には酸素原子上で進行するも、熱力学的には炭素原子上で進行することが報告されている（非特許文献２）。この場合、酸素原子上から炭素原子上へのアシル基の移動は、安定なＣ−アシル化体を形成し安定なホスホニウム塩を与える。
【０００５】
一方、第二級アルコール存在下における第一級アルコールの選択的アシル保護は合成化学の分野では有用な反応である。近年、従来のアシル化剤による選択性の制御法（非特許文献３）に加え、様々な触媒による制御法、特にルイス酸触媒を用いた選択的アシル化反応が開発されてきた（非特許文献４）。また、ジメチルアミノピリジン（ＤＭＡＰ）もアルコールと酸無水物を用いたアシル化反応に対する最も基本的かつ効果的な触媒の一つである。
【先行技術文献】
【特許文献】
【０００６】
【特許文献１】特表２０１２−５２２８４５
【特許文献２】特表２０１６−５１６６８３
【非特許文献】
【０００７】
【非特許文献１】Ｊｏｈｎｓｏｎ，Ａ．Ｗ．  Ｙｌｉｄｅｓ  ａｎｄ  Ｉｍｉｎｅｓ  ｏｆ  Ｐｈｏｓｐｈｏｒｕｓ；Ｗｉｌｅｙ：Ｎｅｗ  Ｙｏｒｋ，１９９３．
【非特許文献２】Ｂｙｒｎｅ，Ｐ．Ａ．；Ｋａｒａｇｈｉｏｓｏｆｆ，Ｋ．；Ｍａｙｒ，Ｈ．  Ｊ．Ａｍ．Ｃｈｅｍ．Ｓｏｃ．２０１６，１３８，１１２７２−１１２８１．
【非特許文献３】Ｇｒｅｅｎ，Ｔ．Ｗ．；Ｗｕｔｓ，Ｐ．Ｇ．Ｍ．  Ｐｒｏｔｅｃｔｉｖｅ  Ｇｒｏｕｐｓ  ｉｎ  Ｏｒｇａｎｉｃ  Ｓｙｎｓｔｅｓｉｓ，４ｔｈ  Ｅｄｉｔｉｏｎ；Ｊｏｈｎ  Ｗｉｌｅｙ＆Ｓｏｎｓ：Ｎｅｗ  Ｙｏｒｋ，２００７．
【非特許文献４】Ｐｒｏｃｏｐｉｏｕ，Ｐ．Ａ．；Ｂａｕｇｈ，Ｓ．Ｐ．Ｄ．；Ｆｌａｃｋ，Ｓ．Ｓ．；Ｉｎｇｌｉｓ，Ｇ．Ｇ．Ａ．  Ｊ．Ｏｒｇ．Ｃｈｅｍ．１９９７，６２，８９５２−８９５４．
【発明の概要】
【発明が解決しようとする課題】
【０００８】
しかしながら、既に数多くの有機分子触媒が知られているものの、そのほとんどは電荷を持たない中性分子であり、イオン性の有機分子触媒は稀である。例えば、触媒分子から反応剤への求核攻撃を活性化の起点とする触媒は求核触媒として知られているが、そのほとんどはＤＭＡＰのような中性分子であり、イリドのようなイオン性分子を求核触媒として用いた例はあまりない。特に有機分子触媒による選択的アシル化反応の報告例はごくわずかである。
そこで発明者らはこの課題を解決するため鋭意検討を重ね、ホスホニウムイリドの触媒としての機能を見出した。
【０００９】
本開示の一態様の目的は、上記課題に鑑み、ホスホニウムイリドよりなるイオン性求核触媒およびこれを用いた精密制御が可能なアルコールのアシル化方法を提供することを目的とする。
【課題を解決するための手段】
【００１０】
本開示の一態様に係るイオン性求核触媒は下記式１で表されるホスホニウムイリドもしくはその前駆体を含有する。
【化１】
2019037937.tif 000003
【００１１】
前記ホスホニウムイリドは下記式２で表されるテトラアリールホスホニウム塩を前駆体とするものであってもよい。
【化２】
2019037937.tif 000004
【００１２】
前記ホスホニウムイリドはテトラアリールホスホニウム塩をメタノール中、室温で水酸化ナトリウムと反応させる脱ＨＢｒ反応により生成されてもよい。
【００１３】
本開示の一態様に係るアシル化方法は、アルコールの選択的アシル化反応において、ホスホニウムイリドを触媒として用いるアシル化方法であって、
１）アシル化剤として用いる酸無水物に対し前記ホスホニウムイリドが求核攻撃し、
２）中間体としてホスホニウム塩を生成し、
３）前記アルコールが前記ホスホニウム塩中間体を求核攻撃し、
４）アシル化されたアルコールを生成するとともにホスホニウムイリドを再生する、
工程を含む。
【発明の効果】
【００１４】
本開示の一態様によれば、酸無水物によるホスホニウムイリドのＣ−アシル化を抑制し、Ｏ−アシル化体からアルコールへの分子間アシル基移動を進行させることによりホスホニウムイリドが再生し、その結果触媒サイクルが構築できる。例えば、第一級アルコールと第二級アルコールをもつジオールに対する第一級アルコールのアシル化反応において、第一級アルコールのアシル化を優先的に進行させ、所望の生成物を選択的に得ることができ、その結果第二級アルコール存在下における第一級アルコールの選択的アシル保護を達成できる。
【図面の簡単な説明】
【００１５】
【図１】図１は本実施の形態におけるイオン性求核触媒を用いたジオールの選択的アシル化反応サイクルを示す。
【図２】図２は本実施の形態におけるイオン性求核触媒の単結晶Ｘ線構造解析結果を示す。
【図３】図３は実施例１におけるにおけるイオン性求核触媒の合成過程を示す。
【図４】図４は実施例２における１ＨＮＭＲ測定結果を示す。
【図５】図５は実施例２における１ＨＮＭＲ測定結果を示す。
【図６】図６は実施例３における選択的アシル化反応の検討結果を示す。
【図７】図７は実施例４における基質一般性の検討結果を示す。
【図８】図８は実施例４における補助塩基非存在下のジオールの選択的アシル化反応の結果を示す。
【発明を実施するための形態】
【００１６】
以下、本開示の一態様に係る実施の形態（以下、本実施の形態）について図面を参照して詳細に説明する。
【００１７】
図１は本実施の形態におけるイオン性求核触媒を用いた、第一級と第二級のアルコールをもつジオールに対する第一級アルコールの選択的アシル化反応サイクルを図式化したものである。本実施の形態においては、下記化学式で示されるホスホニウムイリドがイオン性求核触媒として用いられる。このホスホニウムイリドは後述のようにテトラアリールホスホニウム塩を前駆体として化学合成される。
【化１】
2019037937.tif 000005
【００１８】
本実施の形態における前記ホスホニウムイリドの単結晶Ｘ線構造解析を行った。図２（ａ）に骨格図を、同図（ｂ）に負電荷の分布を重ね合わせた模式図を示す。この解析の結果、リン（Ｐ）とＣ１炭素の結合長は約１．７６Åと、一般的なリン−炭素二重結合の値よりも大きく、単結合の値よりも小さいことが判明した。また酸素（Ｏ）とＣ２炭素の結合長は約１．２８Åであり、カルボニル基により安定化されたイリドＣ＝Ｏ結合とＣ−Ｏ結合の間の値を示した。また、Ｃ１炭素とＣ２炭素の結合長は、ベンゼンのＣ−Ｃ結合より幾分長いものの、Ｐ、Ｃ１、Ｃ２、Ｏの４原子はほぼ同一平面上に位置しており（図２（ａ））、これらの原子上に負電荷が非局在化していることが明らかとなった。
【００１９】
さらに、Ｘ線解析から得られた３次元構造に基づき、ＤＦＴ法により構造最適化を行い、ホスホニウムイリド（式１）の静電ポテンシャルを求めた（図２（ｂ））。これによると、酸素原子に負電荷が集中し、充分な求核性を持っていることが示唆される（図中破線で囲まれた部分）。
【００２０】
このホスホニウムイリドが図１の選択的アシル化反応サイクルにおいてイオン性求核触媒として作用すると考えられる。図１において、まず、１）アシル化剤として用いる酸無水物にホスホニウムイリドよりなる触媒分子が求核攻撃し、２）中間体としてホスホニウム塩が形成される。３）ホスホニウム塩中間体がアルコールからの求核攻撃を受ける。４）その結果にアシル化されたアルコールが得られるとともに触媒が再生する。以上のように触媒的サイクルが成立する。
【００２１】
以下、実施例について説明する。
【実施例】
【００２２】
（実施例１）ホスホニウムイリドの合成
まず、式２で示されるテトラアリールホスホニウム塩を前駆体として前記式１で示されたホスホニウムイリドの合成を行った（図３）。
【化２】
2019037937.tif 000006
【００２３】
テトラアリールホスホニウム塩（式２）をメタノール中、室温で水酸化ナトリウムと反応させると容易に脱ＨＢｒ反応が進行し、高収率でホスホニウムイリド（式１）を安定に単離できる。
【００２４】
（実施例２）ＮＭＲによる反応追跡
反応の実現可能性を探るべく、ホスホニウムイリド（式１）と酸無水物（式３）の反応を１ＨＮＭＲにより追跡した。反応はＮＭＲサンプルチューブ中、ホスホニウムイリド（式１）の重クロロホルム溶液に、室温でイソ酪酸無水物を加えて行った。添加１時間後の１ＨＮＭＲを測定した。結果を図４に示す。
【化３】
2019037937.tif 000007
【００２５】
酸無水物の添加量が２．５当量（ｅｑｕｉｖ）のときのスペクトルに着目すると、酸無水物の添加により新たなシグナル（図中矢印）が出現したことがわかる。これらシグナルの強度は、酸無水物の添加量を増加するごとに強くなり、１５当量（ｅｑｕｉｖ）の段階でシグナルの積分比からホスホニウムイリド（式１）が新しい化学種へと９０％以上変換されたことを示す。
【００２６】
そこで、ホスホニウムイリド（式１）と酸無水物との反応により生じる化学種を同定するため、ＴＯＦ−ＭＳを用いた精密質量測定を行った。その結果ホスホニウムカチオンに対応するＭＳピークが観測され、イリドのアシル化体（図４中Ａで示される化合物）が新たな化学種であることが示された。一方、１ＨＮＭＲではＣ−アシル化体の生成は認められなかった。ＤＦＴ計算の結果からもＯ−アシル化体のほうが熱力学的に安定であることから、Ｏ−アシル化体が速度論的かつ熱力学的生成物であると考えられる。
【００２７】
続いて、ホスホニウムイリド（式１）と酸無水物を反応させた前記ＮＭＲサンプル溶液に１当量の１−ヘプタノールとトリエチルアミンを加え反応させた。その結果、室温で２４時間後に所望のアシル化体（式４）がＮＭＲ収率９８％で生成された（図５）。以上の結果は、触媒サイクル系が実現できていることを示唆している。
【化４】
2019037937.tif 000008
【００２８】
さらに図５において、式１で示されるホスホニウムイリドが存在している場合（ｗｉｔｈ１）の反応とは対照的に、前記ホスホニウムイリドを添加しない場合（ｗｉｔｈｏｕｔ１）では、同条件においてＮＭＲ収率は約５０％であった。このことは、前記ホスホニウムイリドがアシル化触媒として作用し、反応を加速していることを明示している。
【００２９】
なお、以上の過程で前記ホスホニウムイリドが再生される様子は観測されておらず、言い換えれば中間体であるホスホニウム塩（式４）の生成が素早く進行していると考えられる。
【００３０】
（実施例３）反応条件の最適化
第二級アルコール存在下における第一級アルコールの選択的アシル化反応を検討した。結果を図６に示す。まず、１−ヘプタノール（式５）と２−オクタノール（式６）の等モル混合物に対し、１０ｍｏｌ％のホスホニウムイリド（式１）存在下、１．２当量のイソ酪酸無水物および２当量のトリエチルアミンを用い、重クロロホルム中、室温で２４時間撹拌することにより行った。
【化５】
2019037937.tif 000009
【化６】
2019037937.tif 000010
【００３１】
結果を同図下表のｅｎｔｒｙ１の行に示す。反応は円滑に進行し、第一級アルコールアシル化生成物２（式７）がＮＭＲ収率７９％、第二級アルコールアシル化生成物３（式８）が４％、生成比が９５：５となった。明らかに、高選択的に第一級アルコールがアシル化されていると言える。なお、図６下表において、ｃａｔａｌｙｓｔの列にある「１」はホスホニウムイリド（式１）を、「１・ＨＢｒ」はホスホニウム塩（式２）を意味する。
【化７】
2019037937.tif 000011
【化８】
2019037937.tif 000012
【００３２】
次に対照実験として、トリエチルアミン（Ｅｔ３Ｎ）非存在下、ホスホニウムイリド（式１）非存在下、トリエチルアミンおよびホスホニウムイリド（式１）の非存在下における反応を行ったところ、何れの場合も収率・選択性ともに低下する結果となった（ｅｎｔｒｙ２−４）。また、前記ホスホニウムイリドのかわりにジメチルアミノピリジン（ＤＭＡＰ）を触媒として用いた場合には、大幅な選択性の低下が認められた（ｅｎｔｒｙ５）。さらに、反応をヘキサンあるいはトルエン溶媒中で行うと、僅かに収率と選択性が向上することを見出し、最終的に酸無水物の当量を１．５当量とすることにより、第一級アルコールがアシル化された生成物２が９０％と高い収率で得られることが明らかになった（ｅｎｔｒｙ６−８）。さらに、ホスホニウムイリド（式１）の前駆体であるホスホニウム塩（式２）を用い、反応系中でホスホニウムイリド（式１）を発生させた場合にも、同様な収率・選択性で目的物が得られることを見出した（ｅｎｔｒｙ９）
【００３３】
（実施例４）基質一般性
実施例３の最適条件下、同一分子内に第一級およびアルコールをもつ基質に関する基質一般性の検討を行った（図７）。その結果、ホスホニウムイリド（式１）を用いる条件Ａおよびホスホニウム塩（式２）を用いる条件Ｂ、いずれの条件の場合も、１，２−、１，３−、ならびに１，４−ジオールに対し良好な単離収率および選択性で第一級アルコールのアシル化生成物５（式９）を得ることに成功した。
【化９】
2019037937.tif 000013
【００３４】
さらに、補助塩基非存在下におけるジオールの選択的アシル化反応を行った（図８）。その結果、塩基非存在下でも良好な単離収率および選択性で目的のアシル化生成物５ａ（式１０）が得られることを見出した（同図（ａ））。また、無水酢酸にも本系が適用可能であり、第一級アルコールのアセチル化体８（式１１）が選択的に得られることが明らかになった（同図（ｂ））。
【化１０】
2019037937.tif 000014
【化１１】
2019037937.tif 000015
【産業上の利用可能性】
【００３５】
本発明は、希少な金属や有害な金属の代替として、アシル化反応を促進する触媒として用いることができる。
【図１】
2019037937.tif 000018
【図２】
2019037937.tif 000019
【図３】
2019037937.tif 000020
【図４】
2019037937.tif 000021
【図５】
2019037937.tif 000022
【図６】
2019037937.tif 000023
【図７】
2019037937.tif 000024
【図８】
2019037937.tif 000025